(57)【特許請求の範囲】
【請求項１】
外部通信装置に無線接続される画像処理装置であって、
前記外部通信装置との間で無線通信を行うための通信部と、各種の情報を画面に表示するための表示部と、前記外部通信装置の音声発信部から発信された所定パターンの音声を受信するための音声受信部と、この音声受信部が受信した前記音声に基づいて前記表示部の画面を切り替えるための画面切替部とを備えてなり、
前記表示部に表示された画面情報に基づいて操作された前記外部通信装置の必要な操作が終了すると、前記外部通信装置の前記音声発信部が前記音声を発信し、前記音声受信部がその音声を受信すると、前記画面切替部が前記画面情報に応じて前記表示部の画面を切り替える
ことを特徴とする画像処理装置。
【請求項２】
前記音声の所定パターンは、音声の強弱、高低、長短、およびトーンのうちの少なくとも１つに基づいて設定されている、請求項１に記載の画像処理装置。
【請求項３】
前記音声発信部が発信する前記音声は、人間には聴取不能であって前記音声受信部には受信可能である周波数帯を利用する、請求項１に記載の画像処理装置。
【請求項４】
前記周波数帯は、２０〜２５キロヘルツである、請求項３に記載の画像処理装置。
【請求項５】
前記画像処理装置が、前記外部通信装置との間の接続認証を行うための認証部をさらに備え、
前記音声受信部が受信した前記音声に基づいて前記認証部が前記外部通信装置との間の接続認証を行い、次いで、前記画面切替部が前記画像処理装置側表示部の画面を前記接続認証の後の所定操作に必要な画面に切り替える
請求項１に記載の画像処理装置。
【請求項６】
前記所定操作は、前記外部通信装置に記憶されたファイルを前記画像処理装置へ転送するためのパスワードの入力、この入力に続く前記パスワードの認証、およびこの認証に続く前記ファイルの送信である、請求項５に記載の画像処理装置。
【請求項７】
画像処理装置に無線接続される外部通信装置であって、
前記外部通信装置が、前記画像処理装置との間で無線通信を行うための外部通信装置側通信部と、各種の情報を画面に表示するための外部通信装置側表示部と、所定パターンの音声を生成するための音声生成部と、この音声生成部が生成した前記音声を前記画像処理装置の音声受信部に発信するための音声発信部とを備えてなり、
前記画像処理装置の表示部に表示された画面情報に基づいて操作された前記外部通信装置の必要な操作が終了すると、前記外部通信装置の前記音声発信部が前記音声を発信し、前記音声受信部がその音声を受信すると、前記画像処理装置の画面切替部が前記画面情報に応じて前記画像処理装置の前記表示部の画面を切り替えることを特徴とする外部通信装置。
【請求項８】
前記音声生成部が生成する前記音声の所定パターンは、前記外部通信装置側表示部の画面に表示される情報に応じてあらかじめ設定されたものである、請求項７に記載の外部通信装置。
【請求項９】
前記音声の所定パターンは、音声の強弱、高低、長短、およびトーンのうちの少なくとも１つに基づいて設定されている、請求項８に記載の外部通信装置。
【請求項１０】
前記音声発信部が発信する前記音声は、人間には聴取不能であって前記音声受信部には受信可能である周波数帯を利用する、請求項７に記載の外部通信装置。
【請求項１１】
前記周波数帯は、２０〜２５キロヘルツである、請求項１０に記載の外部通信装置。
【発明の詳細な説明】
【技術分野】
【０００１】
この発明は、画像処理装置に関し、さらに詳しくは、外部通信装置との間で無線接続される際にその接続の認証を簡単な操作で行うことのできる画像処理装置に関する。
【背景技術】
【０００２】
従来、画像処理装置としてのＭＦＰ（Ｍｕｌｔｉ  Ｆｕｎｃｔｉｏｎ  Ｐｒｉｎｔｅｒ：複合機）や画像データ記憶装置などと外部通信装置としてのカメラ機能付き携帯端末やディジタルカメラなどとの無線接続を音声の利用により簡単に認証する方法が、例えば特許文献１に記載されている。
【先行技術文献】
【特許文献】
【０００３】
【特許文献１】特開２００７−２４９４２５号公報
【発明の概要】
【０００４】
特許文献１に記載された接続認証方法は、例えばプリンタとディジタルカメラとの間の無線接続認証に関するものである。ここで、ディジタルカメラは、これを識別することのできる特定パターンの音声を生成する生成部と、上記音声を出力する出力部と、プリンタとの間で無線通信を行う通信部とを備えている。プリンタは、ディジタルカメラの出力部から出力された上記音声が入力される入力部と、上記特定パターンに基づいてディジタルカメラの接続認証を行う認証部と、ディジタルカメラとの間で無線通信を行う通信部とを備えている。そして、プリンタの認証部が上記特定パターンに基づいてディジタルカメラの無線接続を認証すると、プリンタとディジタルカメラとの間で無線通信が開始される。
【０００５】
特許文献１に記載された接続認証方法によれば、プリンタなどの画像処理装置とディジタルカメラなどの外部通信装置との無線接続を簡単な操作によって行うことができる、とされている。
【発明が解決しようとする課題】
【０００６】
しかしながら、このような接続認証方法にあっては、接続認証の態様が各種提案されているものの、接続認証を行う際のユーザによる操作方法については説明されていない。このため、ユーザは画像処理装置と外部通信装置とをどのように操作すべきかわからない、という課題があった。
【０００７】
この発明は、このような課題に鑑みてなされたものであり、外部通信装置との間で無線接続される際に、その接続に関する操作をユーザが簡単かつ容易に行うことのできる画像処理装置を提供することを目的とする。
【課題を解決するための手段】
【０００８】
この発明によれば、外部通信装置に無線接続される画像処理装置であって、前記外部通信装置が、前記画像処理装置との間で無線通信を行うための外部通信装置側通信部と、各種の情報を画面に表示するための外部通信装置側表示部と、所定パターンの音声を生成するための音声生成部と、この音声生成部が生成した前記音声を発信するための音声発信部とを備え、前記画像処理装置が、前記外部通信装置との間で無線通信を行うための画像処理装置側通信部と、各種の情報を画面に表示するための画像処理装置側表示部と、前記外部通信装置の前記音声発信部から発信された前記音声を受信するための音声受信部と、この音声受信部が受信した前記音声に基づいて前記画像処理装置側表示部の画面を切り替えるための画面切替部とを備えてなり、前記音声発信部が前記外部通信装置側表示部に表示された画面情報に基づいて前記音声を発信し、前記音声受信部がその音声を受信すると、前記画面切替部が前記画面情報に応じて前記画像処理装置側表示部の画面を切り替える、ことを特徴とする画像処理装置が提供される。
【発明の効果】
【０００９】
この発明の画像処理装置（ＭＦＰ、コピー機、パーソナルコンピュータなど）は、外部通信装置（携帯端末（スマートフォン、携帯電話機、タブレット）やパーソナルコンピュータなど）に無線接続されるものである。
【００１０】
外部通信装置は、この画像処理装置との間で無線通信を行う通信部と、各種の情報を画面に表示する表示部と、所定パターンの音声を生成する音声生成部と、この音声生成部が生成した前記音声を発信する音声発信部とを備えている。ここで、外部通信装置における通信部、表示部、音声生成部および音声発信部は、市場に広く供給される外部通信装置に通常備わっている対応構成部分をそれぞれ援用することができる。画像処理装置は、外部通信装置との間で無線通信を行う通信部と、各種の情報を画面に表示する表示部と、音声発信部から発信された音声を受信する音声受信部と、この音声受信部が受信した音声に基づいて画像処理装置側表示部の画面を切り替える画面切替部とを備えている。ここで、画像処理装置における通信部、表示部、および音声受信部は、市場に広く供給される画像処理装置に通常備わっている対応構成部分をそれぞれ援用することができる。また、画像処理装置における画面切替部は、画像処理装置の制御部を一部改変するなどして設けることができる。
【００１１】
そして、この発明にあっては、音声発信部が外部通信装置側表示部に表示された画面情報に基づいて特定の音声を発信し、音声受信部がその音声を受信すると、画面切替部が上記画面情報に応じて画像処理装置側表示部の画面を自動で切り替える。
【００１２】
上記のように、外部通信装置の表示部に表示された画面情報は音声発信部から発信された特定の音声によって画像処理装置の音声受信部に伝達され、その画面情報に応じて画像処理装置側表示部の画面が自動で切り替わる。従って、この発明の画像処理装置によれば、外部通信装置と画像処理装置とがネットワークで接続されている状況においてはもとより、接続されていない状況においても、外部通信装置の画面情報に応じて画像処理装置の表示部の画面を自動的に切り替えることが可能になる。また、画像処理装置の表示部の画面が自動的に切り替わるので、外部通信装置との間で無線接続を行うためにユーザが画像処理装置の表示部の画面を手動で切り替える回数を従来よりも少なくすることができる。
【００１３】
以下、この発明のより好ましいいくつかの態様について説明する。
【００１４】
（１）この発明における画像処理装置における音声生成部が生成する音声の所定パターンは、外部通信装置側表示部の画面に表示される情報に応じてあらかじめ設定されたものであってもよい。
【００１５】
外部通信装置の音声生成部が生成する音声の所定パターンがこのように設定されたものである場合には、音声生成部および音声発信部によって、外部通信装置側表示部の画面に表示される特定の情報に対応した音声を生成して画像処理装置の音声受信部へ送信することができる。従って、外部通信装置側表示部の画面に表示される情報の内容を画像処理装置の音声受信部で受信して画面切替部が画像処理装置側表示部の画面を切り替えることで、外部通信装置側表示部の画面に表示される情報の内容を画像処理装置において識別することができる。
【００１６】
（２）ここで、音声生成部が生成する音声の所定パターンは、音声の強弱、高低、長短、およびトーンのうちの少なくとも１つに基づいて設定されていてもよい。
【００１７】
音声の所定パターンがこのように設定されている場合には、音声の強弱、高低、長短、およびトーンの任意の組み合わせによって、多種多様な所定パターンを生成することができるので、外部通信装置側表示部の画面に表示される情報の内容が多種多様なものであっても、それに対応することが可能になる。
【００１８】
（３）音声発信部が発信する音声は、人間には聴取不能であって音声受信部には受信可能である周波数帯を利用するものであってもよい。
【００１９】
音声発信部が発信する音声にこのような周波数帯を利用した場合には、音声発信部が発信する音声は、画像処理装置の音声受信部には受信されるがユーザには聴き取ることができないため、画像処理装置と外部通信装置との間で無線接続を行う際に無用の騒音発生を回避することができる。
【００２０】
（４）このような周波数帯は２０〜２５キロヘルツであってもよい。
【００２１】
人間の耳が聴き取ることのできる音声は、下限が１６〜２０ヘルツ程度で上限が１６〜２０キロヘルツ程度であるとされているので、画像処理装置の音声受信部を２０〜２５キロヘルツの周波数帯の音声を受信することができるものに構成することで、無用の騒音発生を回避することのできる画像処理装置を具体的に実施することが可能になる。
【００２２】
（５）この発明における画像処理装置は、外部通信装置との間の接続認証を行うための認証部をさらに備え、音声受信部が受信した音声に基づいて認証部が外部通信装置との間の接続認証を行い、次いで、画面切替部が画像処理装置側表示部の画面を接続認証の後の所定操作に必要な画面に切り替えるように構成されていてもよい。
【００２３】
画像処理装置がこのように構成されている場合には、音声受信部が受信した音声に基づいて認証部が外部通信装置との間の接続認証を行うことができるとともに、接続認証の後に、画面切替部が画像処理装置側表示部の画面を自動で切り替えてその後の所定操作に必要な画面を表示することができる。
【００２４】
（６）ここで、所定操作の一例は、外部通信装置に記憶されたファイルを画像処理装置へ転送するためのパスワードの入力、この入力に続くパスワードの認証、およびこの認証に続くファイルの送信である。
【００２５】
接続認証の後の所定操作が上記一例のようなものである場合には、認証部による接続認証が行われた後に、所定操作に必要な画面でのユーザによるファイル転送用パスワードの入力、認証部によるそのパスワードの認証を経て、外部通信装置に記憶されたファイルを画像処理装置へ転送することができる。
【図面の簡単な説明】
【００２６】
【図１】この発明の実施の形態１〜３における画像処理装置と外部通信装置との無線接続を示すイメージ図である。
【図２】この発明の実施の形態１における画像処理装置の概略構成を示すブロック図である。
【図３】この発明の実施の形態１における画像処理装置に無線接続される外部通信装置の概略構成を示すブロック図である。
【図４】この発明の実施の形態２および３における画像処理装置の概略構成を示すブロック図である。
【図５】この発明の実施の形態２および３における画像処理装置に無線接続される外部通信装置の概略構成を示すブロック図である。
【図６】この発明の実施の形態２および３における画像処理装置と外部通信装置との無線接続における操作の進行状況を説明する説明図である。
【図７】図６における操作の手順を示すフローチャートである。
【図８】この発明の比較例における画像処理装置と外部通信装置との無線接続における操作の進行状況を説明する説明図である。
【図９】図８における操作の手順を説明するフローチャートである。
【発明を実施するための形態】
【００２７】
以下、図面を用いてこの発明をさらに詳述する。なお、以下の説明は、すべての点で１つの例示であって、この発明を限定するものであると解すべきではない。
【００２８】
実施の形態１
図１はこの発明の実施の形態１〜３における画像処理装置と外部通信装置との無線接続を示すイメージ図である。図２および図３はそれぞれ、この発明の実施の形態１における画像処理装置の概略構成を示すブロック図およびその画像処理装置に無線接続される外部通信装置の概略構成を示すブロック図である。
【００２９】
図１〜図３において、１００は実施の形態１における画像処理装置としてのＭＦＰ（Ｍｕｌｔｉ  Ｆｕｎｃｔｉｏｎ  Ｐｒｉｎｔｅｒ：複合機）を表し、２００はこのＭＦＰ１００に無線接続することのできる外部通信装置としての携帯端末の一例であるスマートフォンを表している。
【００３０】
ＭＦＰ１００は、通信部１０１、表示部１０２、音声受信部１０３、および画面切替部１０４を備えている。スマートフォン２００は、通信部２０１、表示部２０２、音声生成部２０３、および音声発信部２０４を備えている。
【００３１】
スマートフォン２００の通信部２０１は、ＭＦＰ１００の通信部１０１との間で無線通信を行うための部分である。表示部２０２は、各種の情報を画面に表示するための部分である。音声生成部２０３は、所定パターンの音声を生成するための部分である。音声発信部２０４は、音声生成部２０３が生成した音声を発信するための部分である。
【００３２】
音声生成部２０３は、外部の音声を入力するためのマイク２０５へ電気的に接続されている。音声発信部２０４は、ここから発信された音声を外部へ出力するためのスピーカー２０６へ電気的に接続されている。音声生成部２０３および音声発信部２０４は制御部２１０に含まれている。制御部２１０は、通信部２０１、表示部２０２、マイク２０５、およびスピーカー２０６へ電気的に接続されていて、スマートフォン２００のすべての機能を制御する。
【００３３】
スマートフォン２００の通信部２０１、表示部２０２、音声生成部２０３、音声発信部２０４、マイク２０５、スピーカー２０６、および制御部２１０は、市場に広く供給されるスマートフォンに通常備わっている対応構成部分をそれぞれ援用している。
【００３４】
ＭＦＰ１００の通信部１０１は、スマートフォン２００の通信部２０１との間で無線通信を行うための部分である。表示部１０２は、各種の情報を画面に表示するための部分である。音声受信部１０３は、スマートフォン２００の音声発信部２０４から発信されてスピーカー２０６から出力された音声を受信するための部分である。画面切替部１０４は、音声受信部１０３が受信した音声に基づいて表示部１０２の画面を切り替えるための部分である。
【００３５】
音声受信部１０３および画面切替部１０４は、制御部１１０に含まれている。制御部１１０は、通信部１０１、および表示部１０２へ電気的に接続されていて、ＭＦＰ１００のすべての機能を制御する。
【００３６】
スマートフォン２００の音声生成部２０３が生成する音声の所定パターンは、表示部２０２の画面に表示される特定情報に応じてあらかじめ設定されたものである。ここでは、その所定パターンは、長短２種の音を種々に組み合わせて作成され、表示部２０２の画面に表示される複数個の特定情報に応じた複数個のパターンが用いられている。
【００３７】
また、音声発信部２０４から発信されてスピーカー２０６から外部へ出力される音声は、上記複数個のパターンに基づいた特定のものであり、人間の耳で聴き取ることができる。
【００３８】
このＭＦＰ１００にあっては、スマートフォン２００の表示部２０２に表示された画面情報に基づいて音声発信部２０４が特定の音声を発信し、スピーカー２０６を介して音声受信部１０３がその音声を受信すると、画面切替部１０４が上記画面情報に応じて表示部１０２の画面を切り替える。
【００３９】
従って、この実施の形態１のＭＦＰ１００によれば、スマートフォン２００とＭＦＰ１００とが無線ネットワークで接続されている状況においてはもとより、接続されていない状況においても、スマートフォン２００の画面情報に応じてＭＦＰ１００の表示部１０２の画面を自動的に切り替えることが可能になる。
【００４０】
また、ＭＦＰ１００の表示部１０２の画面がこのように自動的に切り替わるので、スマートフォン２００との間で無線接続を行うためにユーザがＭＦＰ１００の表示部１０２の画面を手動で切り替える回数を従来よりも少なくすることができる。
【００４１】
実施の形態２
図１はこの発明の実施の形態１〜３における画像処理装置と外部通信装置との無線接続を示すイメージ図である。図４および図５はそれぞれ、この発明の実施の形態２における画像処理装置の概略構成を示すブロック図およびその画像処理装置に無線接続される外部通信装置の概略構成を示すブロック図である。
【００４２】
図１、図４および図５において、３００は実施の形態２における画像処理装置としてのＭＦＰ（複合機）を表し、４００はこのＭＦＰ３００に無線接続することのできる外部通信装置としての携帯端末の一例であるスマートフォンを表している。
【００４３】
ＭＦＰ３００は、通信部３０１、表示部３０２、音声受信部３０３、画面切替部３０４、および認証部３０５を備えている。スマートフォン４００は、通信部４０１、表示部４０２、音声生成部４０３、および音声発信部４０４を備えている。
【００４４】
スマートフォン４００の通信部４０１は、ＭＦＰ３００の通信部３０１との間で無線通信を行うための部分である。表示部４０２は、各種の情報を画面に表示するための部分である。音声生成部４０３は、所定パターンの音声を生成するための部分である。音声発信部４０４は、音声生成部４０３が生成した音声を発信するための部分である。
【００４５】
音声生成部４０３は、外部の音声を入力するためのマイク４０５へ電気的に接続されている。音声発信部４０４は、ここから発信された音声を外部へ出力するためのスピーカー４０６へ電気的に接続されている。音声生成部４０３および音声発信部４０４は制御部４１０に含まれている。制御部４１０は、通信部４０１、表示部４０２、マイク４０５、およびスピーカー４０６へ電気的に接続されていて、スマートフォン４００のすべての機能を制御する。
【００４６】
スマートフォン４００の通信部４０１、表示部４０２、音声生成部４０３、音声発信部４０４、マイク４０５、スピーカー４０６、および制御部４１０は、市場に広く供給されるスマートフォンに通常備わっている対応構成部分をそれぞれ援用している。
【００４７】
ＭＦＰ３００の通信部３０１は、スマートフォン４００の通信部４０１との間で無線通信を行うための部分である。表示部３０２は、各種の情報を画面に表示するための部分である。音声受信部３０３は、スマートフォン４００の音声発信部４０４から発信されてスピーカー４０６から出力された音声を受信するための部分である。画面切替部３０４は、音声受信部３０３が受信した音声に基づいて表示部３０２の画面を切り替えるための部分である。認証部３０５は、スマートフォン４００との間の接続認証を行うための部分である。
【００４８】
音声受信部３０３、画面切替部３０４、および認証部３０５は、制御部３１０に含まれている。制御部３１０は、通信部３０１、および表示部３０２へ電気的に接続されていて、ＭＦＰ３００のすべての機能を制御する。
【００４９】
スマートフォン４００の音声生成部４０３が生成する音声の所定パターンは、表示部４０２の画面に表示される特定情報に応じてあらかじめ設定されたものである。ここでは、その所定パターンは、高低２種の音を種々に組み合わせて作成され、表示部４０２の画面に表示される複数個の特定情報に応じた複数個のパターンが用いられている。
【００５０】
また、音声発信部４０４から発信されてスピーカー４０６から外部へ出力される音声は、上記複数個のパターンに基づいた特定のものであり、人間には聴取不能であってＭＦＰ３００の音声受信部３０３には受信可能である周波数帯を利用している。このような周波数帯は２０〜２５キロヘルツである。
【００５１】
このＭＦＰ３００にあっては、音声受信部３０３が受信した音声に基づいて認証部３０５がスマートフォン４００との間の接続認証を行うことができるとともに、接続認証の後に、画面切替部３０４が表示部３０２の画面を切り替えてその後の所定操作に必要な画面を表示することができる。
【００５２】
図６は、実施の形態２におけるＭＦＰ３００とスマートフォン４００との無線接続における操作の進行状況を説明する説明図である。図７は、図６における操作の手順を示すフローチャートである。
【００５３】
次に、実施の形態２におけるＭＦＰ３００とスマートフォン４００とを無線接続して、スマートフォン４００に記憶された特定ファイル（スマートフォン４００が撮影した写真）をＭＦＰ３００へ転送する方法について、図６および図７を参照しながら説明する。
【００５４】
図６に示すように、ユーザはまず、ＭＦＰ３００の操作部（図示略）を操作して、表示部３０２の画面（複合機側画面）を「メディア選択画面」に切り替える（操作１）。次いで、ユーザは、自己が所有しているメディアである携帯端末としてのスマートフォン４００からそのＯＳを選択するために、複合機側画面を「スマートフォンのＯＳ選択画面」に切り替える（操作２）。操作１および操作２は、図７に示すステップＳ１０１である「ユーザが使用したいメディア／ＯＳを選択する」ステップに対応している。
【００５５】
ユーザによる操作１および操作２によって、複合機側画面は、図６に示す「無線ネットワークへの接続情報の表示画面」になる。この画面は、図７に示すステップＳ１０２である「複合機の無線ネットワークに接続するための情報を表示する」ステップに対応している。
【００５６】
図６に示す「無線ネットワークへの接続情報表示画面」が表示されると、ユーザは、スマートフォン４００の表示部４０２の画面（携帯端末側画面）を「ホーム画面」に切り替える（操作３）。次いで、ユーザは、「ホーム画面」から「各種設定画面」へ、さらに「無線ネットワーク設定画面」へ切り替えて、無線接続のための各種の設定および無線  ネットワークのための設定を行い、その後、「ファイル転送用アプリを起動」する（操作４〜６）。操作３〜６は、図７に示すステップＳ１０３である「複合機の無線ネットワークに接続する設定を行う」ステップに対応している。
【００５７】
ユーザによる操作３〜６が行われると、スマートフォン４００の表示部４０２には、ＭＦＰ３００との間で無線接続を行うための無線接続用暗証番号の入力画面が表示される。そこで、ユーザはスマートフォン４００において所定の無線接続用暗証番号を入力して、ＭＦＰ３００の無線ネットワークへの接続を行う。
【００５８】
ＭＦＰ３００の無線ネットワークへのスマートフォン４００の接続が行われると、スマートフォン４００の音声生成部４０３があらかじめ生成した、ＭＦＰ３００の無線ネットワークへの接続が行われた旨の特定の音声パターンに基づく音声が音声発信部４０４から自動で発信される（図７に示すステップＳ１０４）。
【００５９】
この音声は、スピーカー４０６から外部へ出力されて、ＭＦＰ３００の音声受信部３０３によって受信される。この音声は、上記のように、人間には聴取不能であってＭＦＰ３００の音声受信部３０３には受信可能なものである。
【００６０】
次に、図７のステップＳ１０５に示すように、スマートフォン４００から出力された上記音声をＭＦＰ３００の音声受信部３０３が受信すると、ＭＦＰ３００の認証部３０５がスマートフォン４００との間の無線接続認証を行う。すなわち、認証部３０５は、スマートフォン４００がＭＦＰ３００の無線ネットワークに無線接続されたことを検知する。
【００６１】
すると、ステップＳ１０６に示すように、ＭＦＰ３００の表示部３０２の画面が、画面切替部３０４により自動で切り替えられて、スマートフォン４００における上記特定ファイルをＭＦＰ３００へ転送するための転送用パスワードの入力を行うための画面になる。このステップＳ１０６は、図６に示す「無線ネットワークへの接続情報の表示画面」から「ファイル転送用パスワード表示画面」への「画面自動切り替え」に対応している。
【００６２】
ＭＦＰ３００の表示部３０２の画面が「ファイル転送用パスワード表示画面」に自動で切り替わると、ユーザは、図６に示すように、スマートフォン４００の表示部４０２に所定のファイル転送用パスワードを入力する（操作７）。入力したこのパスワードが認証されると、ユーザは、スマートフォン４００における上記特定ファイルをＭＦＰ３００へ転送することができる。転送用パスワードの入力およびその後の特定ファイルの転送の操作は、図７に示すステップＳ１０７に対応している。
【００６３】
上記転送が行われると、図６に示すように、ＭＦＰ３００の表示部３０２およびスマートフォン４００の表示部４０２の両方に、「ファイル転送中」という画面が表示される。
【００６４】
ユーザが上記操作１〜７を実行することにより、スマートフォン４００に記憶された上記特定ファイルが無線接続されたＭＦＰ３００へ転送されるので、ユーザは、図６に示すように、ＭＦＰ３００の表示部３０２において転送ずみファイルを確認することができる。
【００６５】
比較例
実施の形態２の優位性をより明確にするために、実施の形態２のＭＦＰ３００およびスマートフォン４００を利用して本願出願人が従来実施してきた特定の実施例である比較例について以下、説明する。
【００６６】
図８は、この発明の比較例における画像処理装置と外部通信装置との無線接続における操作の進行状況を説明する説明図である。図９は、図８における操作の手順を説明するフローチャートである。
【００６７】
次に、比較例におけるＭＦＰ３００とスマートフォン４００とを無線接続して、スマートフォン４００に記憶された特定ファイル（スマートフォン４００が撮影した写真）をＭＦＰ３００へ転送する方法について、図８および図９を参照しながら説明する。
【００６８】
図８に示すように、ユーザはまず、ＭＦＰ３００の操作部（図示略）を操作して、表示部３０２の画面（複合機側画面）を「メディア選択画面」に切り替える（操作１）。次いで、ユーザは、自己が所有しているメディアである携帯端末としてのスマートフォン４００からそのＯＳを選択するために、複合機側画面を「スマートフォンのＯＳ選択画面」に切り替える（操作２）。操作１および操作２は、図９に示すステップＳ２０１である「ユーザが使用したいメディア／ＯＳを選択する」ステップに対応している。
【００６９】
ユーザによる操作１および操作２によって、複合機側画面は、図８に示す「無線ネットワークへの接続情報の表示画面」になる。この画面は、図９に示すステップＳ２０２である「複合機の無線ネットワークに接続するための情報を表示する」ステップに対応している。
【００７０】
図８に示す「無線ネットワークへの接続情報の表示画面」が表示されると、ユーザは、スマートフォン４００の表示部４０２の画面（携帯端末側画面）を「ホーム画面」に切り替える（操作３）。次いで、ユーザは、「ホーム画面」から「各種設定画面」へ、さらに「無線ネットワーク設定画面」へ切り替えて、無線接続のための各種の設定および無線ネットワークのための設定を行い、その後、「ファイル転送用アプリを起動」する（操作４〜６）。操作３〜６は、図９に示すステップＳ２０３である「複合機の無線ネットワークに接続する設定を行う」ステップに対応している。
【００７１】
ユーザによる操作３〜６が行われると、スマートフォン４００の表示部４０２には、ＭＦＰ３００との間で無線接続を行うための無線接続用暗証番号の入力画面が表示される。そこで、ユーザは、スマートフォン４００において所定の無線接続用暗証番号を入力して、ＭＦＰ３００の無線ネットワークへの接続を行う。
【００７２】
その後、ユーザは、スマートフォン４００とＭＦＰ３００との無線接続が行われた旨をＭＦＰ３００に通知するために、ＭＦＰ３００の「無線ネットワークへの接続情報の表示画面」を操作して、次の「ファイル転送用パスワード表示画面」に手動で切り替える（操作７）。この操作７は図９に示すステップＳ２０４に対応している。
【００７３】
次いで、ユーザは、スマートフォン４００の表示部４０２に所定のファイル転送用パスワードを入力する。入力したこのパスワードが認証されると、ユーザは、スマートフォン４００における上記特定ファイルをＭＦＰ３００へ転送する（操作８）。この操作８は、図９に示すステップＳ２０５に対応している。
【００７４】
上記転送が行われると、図８に示すように、ＭＦＰ３００の表示部３０２およびスマートフォン４００の表示部４０２の両方に、「ファイル転送中」という画面が表示される。
【００７５】
ユーザが上記操作１〜８を実行することにより、スマートフォン４００に記憶された上記特定ファイルが無線接続されたＭＦＰ３００へ転送されるので、ユーザは、図８に示すように、ＭＦＰ３００の表示部３０２において転送ずみファイルを確認することができる。
【００７６】
実施の形態２と比較例との対比
実施の形態２と比較例とを対比すると、前者におけるユーザの操作手順は上記のように操作１〜７の７つであるのに対し、後者のそれは上記のように操作１〜８の８つである。すなわち、実施の形態２によれば、ＭＦＰ３００の「無線ネットワークへの接続情報の表示画面」が、次の「ファイル転送用パスワード表示画面」に自動で切り替わる。従って、実施の形態２は、「無線ネットワークへの接続情報の表示画面」をユーザが次の「ファイル転送用パスワード表示画面」に手動で切り替える必要のある比較例に対して、ユーザの操作が簡単かつ容易であるという優位性を備えている。
【００７７】
実施の形態３
図１はこの発明の実施の形態１〜３における画像処理装置と外部通信装置との無線接続を示すイメージ図である。図４および図５はそれぞれ、この発明の実施の形態３における画像処理装置の概略構成を示すブロック図およびその画像処理装置に無線接続される外部通信装置の概略構成を示すブロック図である。図６はこの発明の実施の形態３における画像処理装置と外部通信装置との無線接続における操作の進行状況を説明する説明図である。
【００７８】
図１、図４〜図６に示す実施の形態３における画像処理装置の概略構成、および画像処理装置に無線接続される外部通信装置の概略構成は、実施の形態２におけるそれらと基本的に同一である。また、実施の形態３における画像処理装置と外部通信装置との無線接続における操作の手順は、実施の形態２の操作の手順である操作１〜７と基本的に同一である。
【００７９】
実施の形態３における画像処理装置と実施の形態２における画像処理装置との相違点は、次の点である。
【００８０】
実施の形態３における画像処理装置としてのＭＦＰ３００に無線接続されるスマートフォン４００の音声生成部４０３が生成する音声の所定パターンは、表示部４０２の画面に表示される特定情報に応じてあらかじめ設定されたものである。ここでは、その所定パターンは、強弱２種の音と相異なる２種のトーンの音とを種々に組み合わせて作成され、表示部４０２の画面に表示される複数個の特定情報に応じた複数個のパターンが用いられている。
【００８１】
また、音声発信部４０４から発信されてスピーカー４０６から外部へ出力される音声は、上記複数個のパターンに基づいた特定のものであり、実施の形態２とは異なり、人間の耳で聴き取ることができる。
【００８２】
上記のように構成された実施の形態３によれば、ＭＦＰ３００の「無線ネットワークへの接続情報の表示画面」が、次の「ファイル転送用パスワード表示画面」に自動で切り替わる。従って、従来に比べて、ユーザの操作が簡単かつ容易である。
【００８３】
この発明の好ましい態様には、上述した複数の態様のうちのいずれかを組み合わせたものも含まれる。
【００８４】
上述した実施の形態の他にも、この発明について種々の変形例があり得る。それらの変形例は、この発明の範囲に属さないと解すべきではない。この発明には、特許請求の範囲と均等の意味での、また上記範囲内でのすべての変形が含まれるべきである。
【符号の説明】
【００８５】
１００：ＭＦＰ（画像処理装置）
１０１：通信部
１０２：表示部
１０３：音声受信部
１０４：画面切替部
１１０：制御部
２００：スマートフォン（外部通信装置）
２０１：通信部
２０２：表示部
２０３：音声生成部
２０４：音声発信部
２０５：マイク
２０６：スピーカー
２１０：制御部
３００：ＭＦＰ（画像処理装置）
３０１：通信部
３０２：表示部
３０３：音声受信部
３０４：画面切替部
３０５：認証部
３１０：制御部
４００：スマートフォン（外部通信装置）
４０１：通信部
４０２：表示部
４０３：音声生成部
４０４：音声発信部
４０５：マイク
４０６：スピーカー
４１０：制御部
【図１】
0005961647.tif 000002
【図２】
0005961647.tif 000003
【図３】
0005961647.tif 000004
【図４】
0005961647.tif 000005
【図５】
0005961647.tif 000006
【図６】
0005961647.tif 000007
【図７】
0005961647.tif 000008
【図８】
0005961647.tif 000009
【図９】
0005961647.tif 000010